(57)【要約】　　　（修正有）【課題】従来の擁壁工事、河川工事等はコンクリート素面の仕上り完成工事であり、景観上も生態系も無視した自然環境破壊型であった。このような現状から、本発明は自然環境を保持し、動植物の生態系を乱さない生育空間をコンクリート構造物及びコンクリート二次製品で提供する。【解決手段】本発明はコンクリート構造物及びコンクリート二次製品の表面の完全緑化を図るもので、植物、生物の生息域を確保するために、コンクリートの強アルカリ部位と植物、生物の生息域をプラスチック等で分離する方法と、コンクリート自体を中性化する方法で形成されている。【選択図】図１
2004003218.tif 000002
【特許請求の範囲】
【請求項１】
コンクリート構造物及びコンクリート二次製品の製造において、コンクリートの強アルカリから植物生育環境を確保することを特徴とした構造及び製造方法。
【請求項２】
用水路及び排水路におけるコンクリート構造物及びコンクリート二次製品において、水生動植物や昆虫等の生育環境を確保し提供することを特徴とした構造及び製造方法。
【発明の詳細な説明】
【０００１】
【発明の属する技術分野】
本発明は、例えば道路等の擁壁、用水路、排水路等の植物生育空間、生物生育空間を造成して、自然環境を提供することを特徴としたコンクリート構造物及びコンクリート二次製品に関するものである。
【０００２】
【従来の技術】
従来の擁壁工事、河川工事等は、コンクリート素面の仕上り完成工事であり、景観上も生態系を無視した自然環境破壊型であった。
【０００３】
【発明が解決しようとする課題】
前記のような現状から、本発明は、自然環境を保持し、動植物の生態系を乱さない生育空間をコンクリート構造物及びコンクリート二次製品で提供することにある。
【０００４】
【課題を解決するための手段】
本発明は、コンクリート構造物及びコンクリート二次製品の表面の完全緑化を図るもので、植物、生物の生息域を確保するために、コンクリートの強アルカリ部位と植物、生物の生息域とをプラスチック等で分離する方法と、コンクリート自体を中性化する方法とで形成されている。
【０００５】
【発明の実施の形態】
本発明を図面にて詳細に説明する。図１から図１５は擁壁に関して、図１６から図２３は用水路及び排水路に関するものである。
【０００６】
本発明の図１から図１５、符号１から２１は擁壁に関する。１は埋め戻し土の仕切ブロックであり、８の連結金具で７の前面板と接続されている。２は７の前面板と４の背面板とを連結している。３は植物の根の生育域であり、本発明の重要な空間部位である。４は背面板で埋め戻し土の圧力を受ける構造体である。５は床板で擁壁の転倒防止等の安定を図る構造体である。６は植物の葉、茎、花が発生する上下連続空間（以下スリットという）である。７は前面板で６のスリットからの植物の発現で覆われる。８は１の仕切ブロックと７の前面板の連結金具である。
【０００７】
９はメッシュ状の麻布で、１０の植物生育基盤材で保肥材、保水材、土壌菌や、１１の種子を包んでいるもので、６のスリットから外部への流出を防いでいる。１２はプラスチックで、コンクリートの強アルカリから植物の根の生息域を分離することを目的とし、本発明の特徴である。また前記の分離する目的としては、３の空間を構成するコンクリート壁に樹脂塗料等によるライニング等であっても良い。
【０００８】
１３は埋め戻し土であり、１４はステコンクリートである。また１５は砕石であり、１６は擁壁根固め仕上高さである。１７は植物の地上部で、１８は植物の根である。以上が本発明による擁壁の特徴事項で、図１から図７、符号１から１８の詳細な説明であり、以下図８から図１５、符号１９から２１で、別途提供の擁壁の詳細な説明をする。
【０００９】
１９は前面板及び埋め戻し土による圧力を受けるバットレス型構造体であり、２０はスリットである。２１は擁壁上部の埋め戻し仕上高さである。本発明は前面板の連続バットレス型構造が特徴で、植物の根の生息域も背面から埋め戻し土が直接接触していることから、コンクリートからの強アルカリの影響もないことが特徴である。
【００１０】
本発明の図１６から図２３、符号２２から４４は、用水路及び排水路に関する。２２埋め戻し土の仕切ブロックで、２３は、２４の前面板と２５の背面板を連結する金具であり、２６は植物生育基盤材の入る空間である。２７は植物の葉、茎、花が発現するスリットで、２６に続いている。２８は魚類、水辺生物、水生植物の生息域のスリットで、２６の空間に続いている。２９は底面板である。
【００１１】
３０は最高の水位高さであり、３１は最低の水位高さを示す。３２は麻布であり、３３は植物生育基盤材で、３４は種子である。３５は２６の植物生育空間部とコンクリート部を分離するプラスチックである。３６は魚類、水辺生物、水生植物の生息空間である。
【００１２】
３７は埋め戻し土であり、３８はステコンクリートである。３９は砕石であり、４０は植物の地上部で、４１は植物の根である。４２は水生植物で、４３は魚類である。４４は埋め戻し土の仕上高さである。
【００１３】
以上が図、符号による植生コンクリート擁壁、植生コンクリート用水路、排水路の説明であるが、本発明は前記の範囲外で、護岸積みブロック、法面積みブロック等にも適用されるものであり、限定されない。
【００１４】
本発明に使用するコンクリートに熱可塑性水性エマルジョンを混合することで、コンクリート自体からのアルカリ分溶出量が低減することが特願２００２−３５０２６で明らかになっており、植生を目的としたコンクリート構造物に有効であり、本発明のコンクリート構造物に使用することは好ましい方法である。
【００１５】
本発明で使用するコンクリート部位と植物生育空間とを分離するプラスチックは、熱可塑性プラスチックや熱固化性プラスチックであっても良く、また樹脂系塗料でコンクリート部位に塗布することでも良好である。
【００１６】
本発明で用いられる植物生育基盤材は、保水性、保肥性として有効な骨紛を使用することも特徴である。
【図面の簡単な説明】
【図１】本発明の第１擁壁の斜視図
【図２】同じく斜視図
【図３】図１のＡ−Ａ断面図
【図４】図３のＤ部分拡大図
【図５】図２のＢ−Ｂ断面図
【図６】図２のＣ−Ｃ断面図
【図７】施工断面図
【図８】本発明の第２擁壁の斜視図
【図９】同じく斜視図
【図１０】図８のＥ−Ｅ断面図
【図１１】図１０のＩ部分拡大図
【図１２】図８のＦ−Ｆ断面図
【図１３】図９のＧ−Ｇ断面図
【図１４】図９のＨ−Ｈ断面図
【図１５】施工断面図
【図１６】本発明の用水路、排水路の斜視図
【図１７】同じく斜視図
【図１８】図１６のＪ−Ｊ断面図
【図１９】図１８のＮ部分拡大図
【図２０】図１６のＫ−Ｋ断面図
【図２１】図１７のＬ−Ｌ断面図
【図２２】図１７のＭ−Ｍ断面図
【図２３】施工断面図
【符号の説明】
１埋め戻し土の仕切板
２前面板と背面板の連結板
３植物生育域空間
４背面板
５床板
６スリット
７前面板
８連結金具
９麻布
１０植物生育基盤材
１１種子
１２プラスチック
１３埋め戻し土
１４ステコンクリート
１５砕石
１６根固め仕上高さ
１７植物の地上部
１８植物の地下部（根）
１９前面板と連結している後板（バットレス）
２０スリット
２１埋め戻し仕上高さ
２２埋め戻し土の仕切板
２３連結金具
２４前面板
２５背面板
２６植物生育域空間
２７植生スリット
２８魚類、水辺生物、水生植物スリット
２９底面板
３０最高水位の高さ
３１最低水位の高さ
３２麻布
３３植物生育基盤材
３４種子
３５プラスチック
３６魚類、水辺生物、水生植物の生息域空間
３７埋め戻し土
３８ステコンクリート
３９砕石
４０植物の地上部
４１植物の地下部（根）
４２水生植物
４３魚類
４４埋め戻し仕上高さ
【図１】
2004003218.tif 000003
【図２】
2004003218.tif 000004
【図３】
2004003218.tif 000005
【図４】
2004003218.tif 000006
【図５】
2004003218.tif 000007
【図６】
2004003218.tif 000008
【図７】
2004003218.tif 000009
【図８】
2004003218.tif 000010
【図９】
2004003218.tif 000011
【図１０】
2004003218.tif 000012
【図１１】
2004003218.tif 000013
【図１２】
2004003218.tif 000014
【図１３】
2004003218.tif 000015
【図１４】
2004003218.tif 000016
【図１５】
2004003218.tif 000017
【図１６】
2004003218.tif 000018
【図１７】
2004003218.tif 000019
【図１８】
2004003218.tif 000020
【図１９】
2004003218.tif 000021
【図２０】
2004003218.tif 000022
【図２１】
2004003218.tif 000023
【図２２】
2004003218.tif 000024
【図２３】
2004003218.tif 000025